(57)【要約】【課題】障子の引き分け方向を簡単に変更できる引戸を提供すること。【解決手段】引戸１は、浴室側に配置される外障子２１と、脱衣室側に配置される内障子２３と、外障子２１と内障子２３の間に配置される中障子２２とを備える。外障子２１の戸先側の竪框３３Ｌは、框本体３５と、框本体３５から脱衣室側へ膨出し、外障子２１を戸尻側へ摺動させる過程で中障子２２に当接する膨出部３６とを備える。中障子２２における竪框４３Ｌには、連動部材６０が着脱自在に取り付けられている。連動部材６０は、内障子２３側へ突出するように竪框４３Ｌの脱衣室側に設けられる突出部６３と、突出部６３から浴室側へ延出し、竪框４３Ｌの左側に配置される延出部６４とを備えている。【選択図】図２
2006241691.tif 000002
【特許請求の範囲】
【請求項１】
枠体と、前記枠体に対して摺動自在に取り付けられる障子とを備える引戸であって、
前記障子は、一方側に配置される第１障子と、前記第１障子の他方側に配置される第２障子と、前記第２障子のさらに他方側に配置される第３障子とを少なくとも備え、
前記第１障子の戸先側の竪框には、他方側へ膨出し、当該第１障子が戸尻側へ摺動する過程で前記第２障子に当接する第１当接部が設けられ、
前記第２障子における戸先側の竪框には、他方側へ突出し、前記第３障子が戸先側へ摺動する過程で前記第２障子に当接する第２当接部が設けられることを特徴とする引戸。
【請求項２】
前記第２当接部は、他方側へ突出する突出部と、前記突出部から一方側へ延出し、前記膨出部と当接する延出部とを備え、
前記延出部には、前記第１障子が当接した際の衝撃を吸収する衝撃吸収材が取り付けられ、前記突出部には、前記第３障子が当接した際の衝撃を吸収する衝撃吸収材が取り付けられることを特徴とする請求項１に記載の引戸。
【請求項３】
前記第１障子の戸先側の竪框と、最も他方側に配置される前記障子における前記戸尻側の竪框とは、これらの断面形状が互いに対称形状であることを特徴とする請求項１または２に記載の引戸。
【発明の詳細な説明】
【技術分野】
【０００１】
本発明は、引戸に関し、特に、少なくとも３枚以上の障子を備え、障子の引き分け方向を簡単に変更できる引戸に関する。
【背景技術】
【０００２】
従来、例えば浴室と脱衣室との間の開口部には、枠体と、この枠体に対して開閉自在に取り付けられる少なくとも３枚以上の障子とを備える引戸が設けられる場合がある。これらの障子としては、例えば、最も浴室側に配置される外障子と、最も脱衣室側に配置される内障子と、外障子および内障子の間に配置される少なくとも１枚以上の中障子とを備えている（例えば、特許文献１参照）。このような引戸では、諸条件に応じて前記障子の引き分け方向を左勝手または右勝手とすることが可能であるが、例えば、右勝手とした場合には、浴室に向かって最も左側に外障子が配置され、その右側に中障子、さらにその右側すなわち最も右側に内障子が配置されるのが一般的である。このような引戸では、外障子における戸先側の竪框を操作して障子の開閉を行うが、外障子の摺動に伴って中障子が連動して摺動する連携構造が設けられることがある。
【０００３】
このような特許文献１に示す引戸の連携構造において、外障子の戸先側の竪框における脱衣室側には、隣接する中障子側へ突出する連携部が取り付けられるとともに、戸先側の竪框における浴室側および脱衣室側には、外障子を摺動させるための指掛け部（ハンドル）が取り付けられている。指掛け部を操作して外障子を開くように右側へ摺動させると、連携部が中障子の左側の召合せの竪框に当接し、これに伴って中障子が摺動する。これにより、外障子および中障子の摺動を連動させることができる。
【特許文献１】特許第３０２１２９９号公報
【発明の開示】
【発明が解決しようとする課題】
【０００４】
ところで、このような引戸において、障子の引き分け方向を右勝手から左勝手に替えようとする場合には、外障子と内障子とを入れ替えて、各障子を裏返すように配置する必要があり、障子の引き分け方向を替えるための作業が煩雑である。また、障子を入れ替えないで引き分け方向を変更しようとすると、外障子に取り付けられた連携部および指掛け部を取り外して、内障子の右側の竪框にそれぞれ取り付ける必要があり、少なくとも２つの部材を付け替えなければならず作業が煩雑である。本発明の目的は、障子の引き分け方向を簡単に変更できる引戸を提供することにある。
【課題を解決するための手段】
【０００５】
本発明は、枠体と、前記枠体に対して摺動自在に取り付けられる障子とを備える引戸であって、前記障子は、一方側に配置される第１障子と、前記第１障子の他方側に配置される第２障子と、前記第２障子のさらに他方側に配置される第３障子とを少なくとも備え、前記第１障子の戸先側の竪框には、他方側へ膨出し、当該第１障子が戸尻側へ摺動する過程で前記第２障子に当接する第１当接部が設けられ、前記第２障子における戸先側の竪框には、他方側へ突出し、前記第３障子が戸先側へ摺動する過程で前記第２障子に当接する第２当接部が設けられることを特徴とする。
【０００６】
本発明によれば、第１障子の戸先側の竪框に他方側へ膨出し、第１障子が戸尻側へ摺動する過程で第２障子に当接する第１当接部を設けるとともに、第２障子の戸先側の竪框に一方側へ突出し、第３障子が戸先側へ摺動する過程で第２障子に当接する第２当接部を設けたので、第１障子を戸尻側へ摺動させると第１当接部が第２障子に当接し、第１障子の摺動に伴って第２障子が連動する。また、第３障子を戸先側へ摺動させると、第２当接部に第３障子が当接して第２当接部がストッパとして機能しつつ、第３障子の摺動に伴って第２障子が連動する。つまり、引き分け方向を右勝手とした場合でも左勝手とした場合でも、これらの障子を互いに連動させることができる。したがって、本引戸では、第１障子と第３障子とを入れ替えるような面倒な作業を行うことなく、例えば、第１障子に操作用のハンドルが取り付けられる場合には、当該操作用のハンドルを第３障子の竪框に付け替えるだけで、簡単に障子の引き分け方向を変更できる。
【０００７】
ここで、前記第２当接部は、他方側へ突出する突出部と、前記突出部から一方側へ延出し、前記膨出部と当接する延出部とを備え、前記延出部には、前記第１障子が当接した際の衝撃を吸収する衝撃吸収材が取り付けられ、前記突出部には、前記第３障子が当接した際の衝撃を吸収する衝撃吸収材が取り付けられていてもよい。このような構成によれば、隣接する障子が第２当接部に当接した際の衝撃を各衝撃吸収材がそれぞれ吸収するため、障子の損傷を抑えることができる。また、前記第１障子の戸先側の竪框と、最も他方側に配置される前記障子における前記戸尻側の竪框とは、これらの断面形状が互いに対称形状であることとしてもよい。
【発明の効果】
【０００８】
本発明の引戸によれば、障子の引き分け方向を簡単に変更できるという効果がある。
【発明を実施するための最良の形態】
【０００９】
以下、本発明の実施形態に係る引戸について図面を参照して説明する。
図１は、本実施形態に係る閉じ状態の引戸１を浴室側から見た正面図である。図２は、閉じ状態の引戸１を示す横断面図である。図１に示すように、引戸１は、上枠１１、下枠１２、および左右の縦枠１３を有する枠体１０と、枠体１０に対して摺動自在に取り付けられる障子２０とを備えている。障子２０は、最も浴室側に配置される第１障子としての外障子２１と、最も脱衣室側に配置される第３障子としての内障子２３と、外障子２１と内障子２３との間に配置される第２障子としての中障子２２とを備えている。つまり、外障子２１の脱衣室側に中障子２２が配置され、中障子２２の脱衣室側に内障子２３が配置されている。なお、本実施形態では、障子２０の引き分け方向を右勝手とした場合として説明する。また、浴室側が本発明の一方側に対応し、脱衣室側が本発明の他方側に対応する。
【００１０】
図２に示すように、外障子２１は、上框と、下框と、左右の竪框３３（３３Ｒ，３３Ｌ）とを備えている。なお、図２では上框および下框の図示を省略している。竪框３３のうちの戸先側（図２左側）の竪框３３Ｌには、ハンドル３４が着脱自在に取り付けられている。また、竪框３３Ｌは、面材２４を支持する框本体３５と、框本体３５から脱衣室側へ膨出し、外障子２１を戸尻側（図２右側）へ摺動させる過程で中障子２２に当接する第１当接部としての膨出部３６とを備えて構成されている。また、戸尻側（図２右側）の竪框３３Ｒには、脱衣室側へ突出する係合片３３Ｘが形成されている。
【００１１】
中障子２２は、上框と、下框と、左右の竪框４３（４３Ｒ，４３Ｌ）とを備えている。なお、図２では上框および下框の図示を省略している。竪框４３のうち、竪框３３Ｒと召合わされる戸先側の竪框４３Ｌには、浴室側へ突出し、竪框３３Ｒと竪框４３Ｌとが召合わされた際に、外障子２１の係合片３３Ｘに係合する係合片４３Ｘが形成されている。また、戸尻側の竪框４３Ｒには、脱衣室側へ突出する係合片４３Ｙが形成されている。
【００１２】
また、竪框４３Ｌには、第２当接部としての連動部材６０が着脱自在に取り付けられている。連動部材６０は、例えば、内障子２３を固定状態とした場合には、外障子２１の摺動に応じて中障子２２が連動するように機能し、また、外障子２１を固定状態とした場合には、内障子２３の摺動に応じて中障子２２が連動するように機能する。連動部材６０は、竪框４３Ｌの外側に取り付けられる本体部６１と、本体部６１から浴室側へ突出し、竪框４３Ｌ内に挿入され係止される係止部６２とを備えて構成されている。本体部６１は、脱衣室側へ突出するように竪框４３Ｌの脱衣室側に設けられる突出部６３と、突出部６３から浴室側へ延出し、竪框４３Ｌの左側に配置される延出部６４とを備え、横断面略Ｌ字状に構成されている。
【００１３】
突出部６３の戸尻側（図２右側）の側面には、衝撃吸収材６５が設けられている。突出部６３と内障子２３の後述する竪框５３Ｌとは、中障子２２と内障子２３とが重なり合う位置となった際に、衝撃吸収材６５を介して当接し衝撃吸収材６５が当接時の衝撃を吸収する。このように中障子２２に設けられた突出部６３が内障子２３に当接することにより、中障子２２の摺動が規制され突出部６３がストッパとして機能する。なお、障子２０の引き分け方向が左勝手の場合には、内障子２３の竪框５３Ｌが突出部６３の衝撃吸収材６５に当接し、内障子２３とともに中障子２２が連動して、突出部６３が連動部材として機能する。
【００１４】
また、延出部６４の戸先側の側面には、衝撃吸収材６６が設けられている。延出部６４と外障子２１の竪框３３Ｌの膨出部３６とは、外障子２１と中障子２２とが重なり合う位置となった際に、衝撃吸収材６６を介して当接し衝撃吸収材６５が当接時の衝撃を吸収する。外障子２１が戸尻側へ摺動すると、外障子２１の膨出部３６が中障子２２に設けられた延出部６４の衝撃吸収材６６に当接し、外障子２１とともに中障子２２が連動し、延出部６４が連動部材として機能する。なお、障子２０の引き分け方向が左勝手の場合には、延出部６４が外障子２１の膨出部３６に当接し中障子２２の摺動を規制するストッパとして機能する。
【００１５】
内障子２３は、上框と、下框と、左右の竪框５３とを備えている。なお、図２では、上框および下框の図示を省略している。竪框５３のうち、中障子２２の竪框４３Ｒと召合わされる戸先側の竪框５３Ｌには、浴室側へ突出し、竪框４３Ｒと竪框５３Ｌとが召合わされた際に、中障子２２の係合片４３Ｙに係合する係合片５３Ｙが形成されている。戸尻側の竪框５３Ｒは、面材２４を支持する框本体７１と、框本体７１から脱衣室側へ膨出する膨出部７２とを備えて構成されている。竪框５３Ｒは、外障子２１の竪框３３Ｌと左右対称の断面形状に形成され、これらの竪框３３Ｌ，５３Ｒの製造が容易となる。また、竪框５３Ｒには、外障子２１の竪框３３Ｌに取り付けられているハンドル３４と同様のものを着脱自在に取り付けることが可能である。
【００１６】
次に、引戸１において、障子２０を開閉する際の動作について説明する。
まず、閉じ状態の引戸１を開き状態とする際の動作について説明する。図２に示す閉じ状態の引戸１において、外障子２１のハンドル３４を操作して外障子２１を戸尻側（図２右側）へ摺動させると、外障子２１の竪框３３Ｌの膨出部３６が中障子２２の竪框４３Ｌに設けられた連動部材６０の衝撃吸収材６６に当接し、中障子２２が外障子２１の摺動に連動して戸尻側へ摺動する。さらに、これらの障子２１，２２を戸尻側へ摺動させると、図３に示すように、中障子２２の竪框４３Ｌに設けられた連動部材６０の衝撃吸収材６５が内障子２３の竪框５３Ｌに当接し、３枚の障子２１〜２３が重なり合った状態で右側に配置される。これにより、引戸１が図３に示すような開放した状態となる。
【００１７】
次に、開き状態の引戸１を閉じ状態とする際の動作について説明する。図３に示す開き状態の引戸１において、外障子２１のハンドル３４を操作して外障子２１を戸先側（図３左側）へ摺動させると、外障子２１の竪框３３Ｒの係合片３３Ｘが中障子２２の竪框４３Ｌに形成された係合片４３Ｘに係合し、中障子２２が外障子２１の摺動に連動して戸先側へ摺動する。さらに、これらの障子２１，２２を戸先側へ摺動させると、図２に示すように、中障子２２の竪框４３Ｒに形成された係合片４３Ｙが内障子２３の竪框５３Ｌに形成された係合片５３Ｙに係合する。これにより、図２に示すような引戸１が閉じ状態となる。
【００１８】
次に、引戸１の引き分け方向を右勝手から左勝手に変更する手順について説明する。図４は、引戸の引き分け方向を右勝手から左勝手に変更した際における開き状態の引戸を示す横断面図である。図３に示す右勝手の状態から図４に示す左勝手の状態に変更する場合には、まず、外障子２１の竪框３３Ｌに取り付けられた図３に示すハンドル３４を取り外し、この取り外したハンドル３４の向きを反転させてハンドル３４の柄の長い方が浴室側となるようにして、ハンドル３４を内障子２３の竪框５３Ｒに取り付ける。このようにして、引戸１における障子２０の引き分け方向を変更できる。
【００１９】
このように左勝手とされた引戸１において、障子２０を開閉する際の動作について説明する。開き状態の引戸１を閉じ状態とする際の動作について説明する。図４に示す開き状態の引戸１において、内障子２３のハンドル３４を操作して内障子２３を図４右側（戸先側）へ摺動させると、内障子２３の竪框５３Ｌの係合片５３Ｙが中障子２２の竪框４３Ｒの係合片４３Ｙに係合し、中障子２２が内障子２３の摺動に連動して戸先側へ摺動する。さらに、これらの障子２２，２３を戸先側へ摺動させると、中障子２２の竪框４３Ｌの係合片４３Ｘが外障子２１の竪框５３Ｒの係合片４３Ｘに係合して、引戸１が閉じ状態となる。
【００２０】
次に、閉じ状態の引戸１を開き状態とする際の動作について説明する。閉じ状態の引戸１において、内障子２３のハンドル３４を操作して内障子２３を図４左側（戸尻側）へ摺動させると、内障子２３の竪框５３Ｌが中障子２２の竪框４３Ｌに設けられた連動部材６０の衝撃吸収材６５に当接し、中障子２２が内障子２３の摺動に連動して戸尻側へ摺動する。さらに、これらの障子２２，２３を図４左側へ摺動させると、中障子２２の竪框４３Ｌに設けられた連動部材６０の衝撃吸収材６６が外障子２１の竪框３３Ｌに当接し、３枚の障子２１〜２３が重なり合った状態で左側に配置される。これにより、引戸１が図４に示すような開き状態となる。
【００２１】
本実施形態によれば、外障子２１の戸先側の竪框３３Ｌに中障子２２側へ膨出し、中障子２２の摺動を干渉する膨出部３６を設けるとともに、中障子２２の竪框４３Ｌに内障子２３側へ突出し、内障子２３の摺動を干渉する連動部材６０を設けたので、外障子２１を戸尻側へ摺動させると、膨出部３６と連動部材６０とが当接し、外障子２１の摺動に伴って中障子２２が連動する。また、右勝手の場合において、内障子２３を戸先側へ摺動させると、連動部材６０と内障子２３の縦框５３Ｌとが当接し、内障子２３の摺動に伴って中障子２２が連動する。したがって、引戸１では、外障子２１と内障子２３とを入れ替えるような面倒な作業が必要なく、ハンドル３４を外障子２１または内障子２３に付け替えるだけで、簡単に引き分け方向を変更できる。また、突出部６３および延出部６４に衝撃吸収材６５，６６を取り付けたので、外障子２１と中障子２２とが当接する際や、中障子２２と内障子２３とが当接する際の衝撃をそれぞれ吸収できる。
【００２２】
なお、本発明は、前記実施形態には限定されない。例えば、前記実施形態では、本発明の引戸を浴室と脱衣室との間に取り付けたが、例えば、シャワー室やプールと脱衣室の間や、トイレの入口部分、屋内外の入口部分等に取り付けてもよい。要するに、本発明の建具が、隣り合う２つの空間の間に取り付けられればよい。また、前記実施形態では、障子２０を３枚の障子２１〜２３により構成したが、障子２０の枚数は３枚以上であれば特に限定されない。
【図面の簡単な説明】
【００２３】
【図１】本発明の実施形態に係る閉じ状態の引戸を浴室側から見た正面図である。
【図２】閉じ状態の引戸を示す横断面図である。
【図３】開き状態の引戸を示す横断面図である。
【図４】引戸の引き分け方向を変えた状態を示し、開き状態の引戸を示す横断面図である。
【符号の説明】
【００２４】
１      引戸
１０      枠体
１３      縦枠
２０      障子
２１      外障子
２２      中障子
２３      内障子
２４      面材
３３（３３Ｌ，３３Ｒ）      竪框
３３Ｘ      係合片
３４      ハンドル
３５      框本体
３６      膨出部（第１当接部）
４３（４３Ｌ，４３Ｒ）      竪框
４３Ｘ      係合片
４３Ｙ      係合片
５３（５３Ｌ，５３Ｒ）      竪框
５３Ｙ      係合片
６０      連動部材（第２当接部）
６１      本体部
６２      係止部
６３      突出部
６４      延出部
６５，６６      衝撃吸収材
【図１】
2006241691.tif 000003
【図２】
2006241691.tif 000004
【図３】
2006241691.tif 000005
【図４】
2006241691.tif 000006